(57)【要約】【課題】長期間、アウターレンズ（透明部）の曇り防止を図れるようにすることを目的とする。【解決手段】アウターレンズ３０（透明部）を備えるヘッドランプユニット（車両部品）であって、外気が直接的に接触しないアウターレンズ３０（レンズ本体部３４）の裏面３４ｂには、可視光線の半波長以下のサイズの突起３５が所定の間隔で多数形成されており、突起３５の突出寸法と、突起３５の径寸法と、隣り合う突起間の寸法とがほぼ等しい値に設定されており、多数の突起３５は独立して形成されている。【選択図】図３
2018186034.tif 000002
【特許請求の範囲】
【請求項１】
透明部を備える車両部品であって、
外気が直接的に接触しない前記透明部の裏面には、可視光線の半波長以下のサイズの突起が所定の間隔で多数形成されており、
前記突起の突出寸法と、前記突起の径寸法と、隣り合う突起間の寸法とがほぼ等しい値に設定されており、
多数の前記突起は独立して形成されている車両部品。
【請求項２】
請求項１に記載された車両部品であって、
隣り合う前記突起間の寸法が150nm〜400nmに設定されている車両部品。
【請求項３】
請求項１又は請求項２のいずれかに記載された車両部品であって、
前記突起の高さ寸法と径寸法は150nm〜400nmに設定されている車両部品。
【請求項４】
請求項１〜請求項３のいずれかに記載された車両部品であって、
前記突起の突出端面のなめらかさを表す平面度Ｒａは30nm以下である車両部品。
【請求項５】
請求項１〜請求項４のいずれかに記載された車両部品であって、
前記突起の高さ寸法は、隣り合う前記突起間の寸法の１倍以上、３倍以下である車両部品。
【請求項６】
請求項１〜請求項５のいずれかに記載された車両部品であって、
前記突起が形成される前記透明部の裏面が平面であるときの接触角は60°〜100°に設定されている車両部品。
【請求項７】
請求項１〜請求項６のいずれかに記載された車両部品であって、
前記透明部の材料は、プラスチック材料である車両部品。
【請求項８】
透明部を備え、外気が直接的に接触しない前記透明部の裏面に可視光線の半波長以下のサイズの突起が所定の間隔で多数形成されている車両部品の製造方法であって、
射出成形金型において前記透明部の裏面を成形する成形面を反応性イオンエッチング法（Reactive Ion Etching）を利用して成形する工程と、
前記成形面を備える前記射出成形金型を使用して前記透明部を射出成形する工程と、
を有する車両部品の製造方法。
【請求項９】
請求項８に記載された車両部品の製造方法であって、
前記射出成形金型の前記成形面は銅合金により製造されている車両部品の製造方法。
【発明の詳細な説明】
【技術分野】
【０００１】
本発明は、透明部を備える車両部品、及びその製造方法に関する。
【背景技術】
【０００２】
透明部を備える車両部品であるランプユニット等では、ハウジング内に高湿の空気が入り込んだ状態で、レンズの表面が外気によって冷やされると、内部の水蒸気が結露することでレンズの内面に曇りが生じることがある。このようなレンズの内面の曇りを防止するため、特許文献１に記載の技術では、レンズの内面に防曇塗料を塗布するようにしている。前記防曇塗料は、界面活性剤の界面活性作用によって塗膜表面に付着した水分の表面張力を水接触角30°以下に低下させて、水に対する濡れ性を向上させて微細な水滴を生じさせず、水膜を形成させることにより、防曇性を確保するものである。
【０００３】
また、機能剤の最表面に微細な凹凸を形成し、親水性や防曇性等の効果を増加させる技術が知られている。例えば、特許文献２の技術では、可視光線以下の間隙で制御されたナノ凹凸を利用し、親水性樹脂の濡れ性を向上させることで、計器のカバープレート等の水膜防曇機能を実現している。
【０００４】
また、同様にナノ凹凸を用いて親水膜の機能を増加させる方法として、特許文献３〜６等が知られている。凹凸構造の上に置かれた液体がその個体表面と完全に接触する場合、表面の凹凸構造によって、実表面積が見かけの表面積に比べて大きくなる。これにより、濡れ性が強調され、例えば、水膜防曇であれば、表面に凹凸形成しない場合に比べ、表面に凹凸形成することによって、防曇機能、親水機能等が増加することが知られている。ナノ構造体が形成されている側のフィルム表面の水接触角は一般的に40°以下であることが求められている。
【先行技術文献】
【特許文献】
【０００５】
【特許文献１】特開２０１１−１４０５８９号公報
【特許文献２】特開２０１５−７８９２４号公報
【特許文献３】特開２０１５−１３２９１号公報
【特許文献４】特開２０１５−３５１９号公報
【特許文献５】特開２０１１−５３３３４号公報
【特許文献６】特開平７−８２３９７号公報
【発明の概要】
【発明が解決しようとする課題】
【０００６】
特許文献１に記載の技術では、ランプユニットのハウジング内の水分量が前記防曇塗料の保水可能な許容量を超えると、前記防曇塗料の表面を水が伝って流れるようになる。これにより、前記防曇塗料の界面活性剤が経時的に流れ、界面活性作用が低下する。即ち、防曇塗料をレンズの内面に塗布する方法では、長期的な防曇効果を得ることは難しい。
【０００７】
また、塗膜の塗布が必要であるので、ヘッドランプやテールランプ等の自由曲面の閉鎖空間に防曇性を付与すると、液残りや塗布むら等が発生し、良品の製造が難しく歩留まりが悪い。また、プラスチック基材と塗膜との密着性も問題になっており、場合によっては膜剥がれや膜割れ等が発生する。
【０００８】
特許文献２〜６の技術は、凹凸構造を使って材料の特性以上の親水機能や防曇機能を得る技術であるが、特許文献１の場合と同様に、汚れの付着によって親水機能が失われ易く長期間にわたる機能維持が難しい。
【０００９】
本発明は、上記問題点を解決するためになされたものであり、本発明が解決しようとする課題は、透明部の材料と凹凸構造だけで長期間に亘って、透明部の曇り防止を図れるようにすることである。
【課題を解決するための手段】
【００１０】
上記した課題は、各請求項の発明によって解決される。請求項１の発明は、透明部を備える車両部品であって、外気が直接的に接触しない前記透明部の裏面には、可視光線の半波長以下のサイズの突起が所定の間隔で多数形成されており、前記突起の突出寸法と、前記突起の径寸法と、隣り合う突起間の寸法とがほぼ等しい値に設定されており、多数の前記突起は独立して形成されている。
【００１１】
一般的に、透明部の内側の暖かい空気が透明部の外側の外気により冷却されると、前記透明部の内側にある空気中の水蒸気が前記透明部の裏面に引き寄せられる。本発明によると、前記透明部の裏面には、可視光線の半波長以下のサイズの突起が所定の間隔で多数形成されている。即ち、前記透明部の裏面に形成された突起構造体は凹形状の窪み部の集合体でもある。このため、前記透明部の裏面に引き寄せられた水蒸気は、窪み部と、窪み部間の平面に付着して成長し、付着した水蒸気がまとまらずに個別に成長して水滴になる。しかしながら、窪み部と、窪み部間の平面の寸法は可視光線の半波長以下のサイズであるため、水蒸気が窪み部、窪み部間の平面の寸法以上に成長して水滴となるのを抑制できる。したがって、前記水滴を可視光線の半波長以下のサイズに保持し易くなる。そして、成長した水滴は表面張力の働きにより、突起等が存在しない平坦面における水滴の接触角よりも大きな接触角で突起の位置、あるいは窪み部の位置に保持される。即ち、透明部の裏面に多数の突起がある場合、透明部の裏面が平坦面である場合と比較して水滴どうしがまとまり難く、多数の水滴が比較的小さなサイズに保持される。また、突起のサイズは可視光線の半波長以下のため、突起に付着している水滴のサイズも前記可視光線の半波長以下で、人間からは見えない。このように、水滴が人間から見えないため、透明部に曇りが生じたとは認識されなくなる。また、突起は経時的に変化しないため、長期間に亘って、透明部の内面の曇り防止を図ることができる。
【００１２】
請求項２の発明によると、隣り合う前記突起間の寸法が150nm〜400nmに設定されている。
【００１３】
請求項３の発明によると、突起の高さ寸法と径寸法は150nm〜400nmに設定されている。
【００１４】
請求項４の発明によると、突起の突出端面のなめらかさを表す平面度Ｒａは30nm以下である。
【００１５】
請求項５の発明によると、突起の高さ寸法は、隣り合う前記突起間の寸法の１倍以上、３倍以下である。
【００１６】
請求項６の発明によると、突起が形成される前記透明部の裏面が平面であるときの接触角は60°〜100°に設定されている。
【００１７】
請求項７の発明によると、透明部の材料は、プラスチック材料である。
【００１８】
請求項８の発明は、透明部を備え、外気が直接的に接触しない前記透明部の裏面に可視光線の半波長以下のサイズの突起が所定の間隔で多数形成されている車両部品の製造方法であって、射出成形金型において前記透明部の裏面を成形する成形面を反応性イオンエッチング法（Reactive Ion Etching）を利用して成形する工程と、前記成形面を備える前記射出成形金型を使用して前記透明部を射出成形する工程とを有する。このように、射出成形により、透明部の裏面に半波長以下のサイズの突起を形成できるため、前記突起の形成が容易になる。
【００１９】
請求項９の発明によると、射出成形金型の成形面は銅合金により製造されている。このため、射出成形金型の成形面の熱伝導性が高くなるため、温度管理が容易になり、透明部の素材を確実に前記成形面の凹凸に供給できるようになる。
【発明の効果】
【００２０】
本発明によると、車両部品の透明部の曇り止めを、長期間に亘って図れるようになる。
【図面の簡単な説明】
【００２１】
【図１】本発明の実施形態１に係る車両部品であるヘッドランプユニットの全体斜視図である。
【図２】前記ヘッドランプユニットの模式縦断面図（図１のII-II矢視断面図）である。
【図３】前記ヘッドランプユニットのアウタレンズの裏面の拡大模式縦断面図（図２のIII矢視拡大断面図）である。
【図４】前記ヘッドランプユニットのアウタレンズの裏面の拡大模式斜視図である。
【図５】前記ヘッドランプユニットのアウタレンズを成形する射出成形型の模式縦断面図である。
【図６】前記ヘッドランプユニットのアウタレンズを成形する射出成形金型の成形面の拡大縦断面図である（図５のVI矢視模式拡大図）。
【図７】前記ヘッドランプユニットのハウジング内の結露の様子を表す模式縦断面図である。
【図８】前記ヘッドランプユニットのハウジング内の結露の様子を表す模式縦断面図である。
【図９】変更例に係るヘッドランプユニットのアウタレンズの裏面における拡大縦断面図である。
【発明を実施するための形態】
【００２２】
［実施形態１］
以下、図１から図９に基づいて本発明の実施形態１に係る車両部品について説明する。本実施形態に係る車両部品は、ランプユニットの一例である車両１０のヘッドランプユニット２０である。なお、図中に示す前後左右、及び上下はヘッドランプユニット２０が取付けられる車両１０の前後左右、及び上下に対応している。
【００２３】
＜ヘッドランプユニット２０の構成概要について＞
ヘッドランプユニット２０は、左右一対で使用される同一仕様のランプであり、左右対称に形成されている。ヘッドランプユニット２０は、図１、図２に示すように、前面側に開口２１ｈを備えるハウジング２１を備えている。ハウジング２１内には、そのハウジング２１の内壁面２１ｗを覆うように反射板２３が設けられている。また、ハウジング２１、及び反射板２３の底部の位置には、ＬＥＤ等からなる光源２５が設置されている。そして、前記ハウジング２１の前面側の開口２１ｈがアウタレンズ３０によって塞がれている。また、ハウジング２１の底部の端位置には、ヘッドランプユニット２０の呼吸穴２７が設けられている。
【００２４】
＜アウタレンズ３０について＞
アウタレンズ３０は、図２に示すように、ハウジング２１の開口縁部２１ｅに対して外側から嵌められるフランジ状のレンズ縁部３２と、前記レンズ縁部３２の内周側で光源２５の光を通すレンズ本体部３４を備えている。そして、レンズ本体部３４の裏面３４ｂ（内面）に、曇り防止用の多数の突起３５が形成されている。このように、アウタレンズ３０が本発明の透明部に相当する。
【００２５】
＜突起３５について＞
アウタレンズ３０（レンズ本体部３４）の突起３５は、図３、図４に示すように、例えば、円錐台状に形成されており、その突起３５の突出寸法がＨ、突起３５の径寸法がＷ、隣り合う突起３５間の寸法がＬに設定されている。寸法Ｈと寸法Ｗと寸法Ｌとはほぼ等しい値で、可視光線の半波長以下の寸法に設定されている。本実施形態に係るアウタレンズ３０では、例えば、寸法Ｈ＝寸法Ｗ＝寸法Ｌ＝150nm〜200nm（ナノメータ）に設定されている。このため、アウタレンズ３０の多数の突起３５は、肉眼では見ることができない。
【００２６】
＜突起３５のサイズ等について＞
多数の突起３５は、ヘッドランプユニット２０内の水蒸気がアウタレンズ３０の内面に付着したときに、前記水蒸気が可視光線の半波長以上に成長しないようにするためのものである。ここで、水滴の成長は、ギブスの自由エネルギーＧ（Ｇ＝Ｈ−ＴＳ）と界面移動速度Ｖの関係によって求まる臨海核半径Ｒｃによって決まる。このため、突起３５に起因するアウタレンズ３０の内面の凹凸の間隙寸法が臨海核半径Ｒｃよりも大きすぎると、水滴が大きく成長して可視光線の半波長以上になり、曇りの原因になる。逆に、凹凸の間隙寸法が小さすぎると、成長した水滴が凹凸間を乗り越えて可視光線の半波長以上になり、同じく曇りの原因になる。
【００２７】
本実施形態では、適切な凹凸の間隙寸法等を設定するため、隣り合う突起３５間の寸法等を臨海核半径Ｒｃに基づいて設定している。
ここで、臨海核半径Ｒｃは、Ｒｃ＝２γ÷（ΔＨ−ＴΔＳ）・・（１）
ＲｃｆoｒＶ＝０・・・（２）
で表される。
上式における、γは、界面張力である。即ち、水と空気界面において、室温で１気圧のときには、（１）（２）式により、臨海核半径Ｒｃは、約366.4nmとなる。このため、突起３５の寸法、及び隣り合う突起３５間の寸法等は、400nm以下が望ましい。また、成長した水滴が凹凸間を乗り越えないように、隣り合う突起３５間の寸法等は150nm以上が望ましい。このため、本実施形態では、上記したように、突起３５における寸法Ｈ＝寸法Ｗ＝寸法Ｌ＝150nm〜200nmに設定されている。
【００２８】
また、突起３５の突出面（先端面）のなめらかさを表す平面度Ｒａは、水滴の成長等を抑制するため、30nm以下にするのが望ましい。また、突起３５は高いほど、凹凸間の界面移動を制限でき、水滴の成長を抑えることができる。このため、突起３５の高さ寸法は、具体的には、隣り合う突起３５間の寸法の１倍以上で３倍以下であるのが望ましい。さらに、突起３５が形成されるアウタレンズ３０の内面の平面状態における接触角は60°〜100°以内であるのが好ましい。ここで、本実施形態では、温度24℃において湿度２１％、温度12℃において湿度６２％の条件下で防曇効果を発揮できるように構成されている。
【００２９】
＜アウタレンズ３０の製造方法＞
アウタレンズ３０は、ポリアクリル、ポリスチレン、ポリカーボネイト、シンクロオレフィンポリマー、シンクロオレフィン・コポリマー等の素材を溶融させて射出成形型４０内に圧入することにより成形される。射出成形型４０は、図５に示すように、アウタレンズ３０の表面側を成形する第１成形型４１と、アウタレンズ３０の裏面側を成形する第２成形型４３とを備えている。そして、射出成形型４０の第１成形型４１と第２成形型４３とが型締めされた状態で、射出成形型４０の内部には、アウタレンズ３０を成形するための空間Ｓｋが形成される。射出成形型４０の第１成形型４１には、アウタレンズ３０の表面３４ｆ（図２参照）を成形する第１成形面４１ｆが形成されており、第２成形型４３には、アウタレンズ３０の裏面３４ｂを成形する第２成形面４３ｆが形成されている。
【００３０】
第２成形型４３の第２成形面４３ｆには、図６に示すように、アウタレンズ３０の裏面３４ｂにおける多数の突起３５を成形するため多数の凹部４３ｚが形成されている。第２成形型４３の第２成形面４３ｆの凹部４３ｚは、反応性イオンエッチング法（Reactive Ion Etching）を利用して成形される。また、第２成形型４３は、第２成形面４３ｆ、及びその近傍部分が熱伝導率の高い銅合金を使用して製造されている。このため、射出成形時における第２成形面４３ｆ、及びその近傍部分の温度管理が容易になり、ポリスチレン等の素材を確実に第２成形面４３ｆの凹部４３ｚに供給できるようになる。上記構成の射出成形型４０を使用してアウタレンズ３０を射出成形することにより、アウタレンズ３０の裏面３４ｂに多数の突起３５を形成できるようになる。
【００３１】
＜アウタレンズ３０の突起３５の働きについて＞
ヘッドランプユニット２０内に高湿度の空気が入り込み、暖められた空気が外気によって冷却されると、図７に示すように、ヘッドランプユニット２０内の水蒸気の初期核Ｗ０（以下、水蒸気という）がアウタレンズ３０の裏面３４ｂに引き寄せられる。ここで、アウタレンズ３０の裏面３４ｂには、可視光線の半波長以下のサイズ（150nm〜200nm）の突起が多数形成されている。そして、突起３５の突出寸法Ｈと、突起３５の径寸法Ｗと、隣り合う突起３５間の寸法Ｌとがほぼ等しい値に設定されている。
【００３２】
即ち、アウタレンズ３０の裏面３４ｂに形成された突起構造体は凹形状の窪み部の集合体でもある。このため、アウタレンズ３０の裏面３４ｂに引き寄せられた水蒸気は、図８に示すように、窪み部と、窪み部間の平面に付着して成長し、付着した水蒸気がまとまらずに個別に成長して水滴Ｗｔになる。しかしながら、窪み部と、窪み部間の平面の寸法は可視光線の半波長以下のサイズであるため、水蒸気が窪み部、窪み部間の平面の寸法以上に成長して水滴となるのを抑制できる。したがって、水滴を可視光線の半波長以下のサイズに保持し易くなる。さらに、突起３５に付着した水蒸気と突起３５間の窪み部に付着した水蒸気とがまとまらずに個別に成長して水滴Ｗｔになる。
【００３３】
そして、成長した水滴Ｗｔは表面張力の働きにより、突起３５が存在しない平坦面における水滴の接触角よりも大きな接触角で突起３５の位置、あるいは窪み部の位置に保持される。即ち、アウタレンズ３０の裏面３４ｂに多数の突起３５がある場合、アウタレンズ３０の裏面３４ｂが平坦面である場合と比較して水滴Ｗｔどうしがまとまり難く、多数の水滴Ｗｔが比較的小さなサイズに保持される。ここで、上記したように、突起３５のサイズは可視光線の半波長以下であるため、突起３５に付着している水滴Ｗｔのサイズも前記可視光線の半波長以下であり、人間には見えない。即ち、水滴Ｗｔが人間には見えないため、アウタレンズ３０（レンズ本体部３４）に曇りが生じたとは認識されなくなる。また、突起３５は経時的に変化しないため、長期間、アウタレンズ３０のレンズ本体部３４の曇りを防止できる。
【００３４】
＜本実施形態に係るヘッドランプユニット２０の長所＞
本実施形態に係るヘッドランプユニット２０によると、アウタレンズ３０（透明部）の裏面には、可視光線の半波長以下のサイズの突起（150nm〜200nm）が所定の間隔で多数形成されている。このため、アウタレンズ３０の裏面に引き寄せられた水蒸気は突起３５と、前記突起３５間の窪み部に付着して成長する。このため、水滴Ｗｔどうしがまとまり難く、多数の水滴Ｗｔが比較的小さなサイズに保持される。ここで、突起３５のサイズは可視光線の半波長以下のため、突起３５に付着している水滴Ｗｔも人間からは見えない。このように、水滴Ｗｔが人間から見えないため、アウタレンズ３０（レンズ本体部３４）に曇りが生じたとは認識されなくなる。また、突起３５は経時的に変化しないため、長期間に亘ってアウタレンズ３０の内面の曇り防止を図ることができる。
【００３５】
また、突起３５の突出寸法Ｈと、突起３５の径寸法Ｗと、隣り合う突起３５間の寸法Ｌとがほぼ等しい値に設定されているため、成長した水滴Ｗｔを表面張力の働きにより、大きな接触角のままで突起３５の位置、あるいは窪み部の位置に保持できる。即ち、突起３５の位置、あるいは窪み部の位置で、個別に成長した水滴Ｗｔがまとまり難くなる。また、アウタレンズ３０（レンズ本体部３４）の突起３５を射出成形により形成できるため、突起３５の形成が容易になる。さらに、第２成形型４３の第２成形面４３ｆ、及びその近傍部分が熱伝導性の高い銅合金を使用して製造されている。このため、射出成形時における第２成形面４３ｆ、及びその近傍部分の温度管理が容易になり、アウタレンズ３０の素材を確実に第２成形面４３ｆの凹部４３ｚに供給できる。
【００３６】
＜変更例＞
なお、本発明は上記実施形態に限定されるものではなく、本発明の要旨を逸脱しない範囲における変更が可能である。例えば、本実施形態では、図３等に示すように、アウタレンズ３０の裏面３４ｂに円錐台状の突起３５を形成する例を示した。しかし、図９に示すように、突起の突出端が平坦でない山形の突起５０を形成することも可能である。また、本実施形態では、車両部品としてヘッドランプユニット２０を例示したが、他のランプユニットに本発明を適用することも可能である。また、ランプユニット以外に、例えば、インストルメントパネルの計器類を覆う透明部裏面に本発明を適用することも可能である。また、ランプユニット等のアウタレンズ等（透明部）は無色であっても良いし、着色されていても良い。
【符号の説明】
【００３７】
２０・・・・ヘッドランプユニット（車両部品）
３０・・・・アウタレンズ（透明部）
３４・・・・レンズ本体部
３４ｂ・・・裏面
３５・・・・突起
４０・・・・射出成形型
４３ｚ・・・凹部
４３・・・・第２成形型
４３ｆ・・・第２成形面（成形面）
Ｗｔ・・・・水滴
【図１】
2018186034.tif 000003
【図２】
2018186034.tif 000004
【図３】
2018186034.tif 000005
【図４】
2018186034.tif 000006
【図５】
2018186034.tif 000007
【図６】
2018186034.tif 000008
【図７】
2018186034.tif 000009
【図８】
2018186034.tif 000010
【図９】
2018186034.tif 000011